(57)【要約】      （修正有）【課題】従来のサポート部材を備えたスポーツ用ソックスは、単に押さえつければ良いという単純な発想の元に製造されている為、そのサポート部材により、押さえつけてはいけない場所である親指の第３関節が押さえつけてしまい、足の湾曲（アーチ）構造骨格が初めから潰されてしまうという大きなマイナス効果を発生させていた。足の湾曲構造骨格を積極的に助け、足にかかる地面からの衝撃を緩め、跳びはねる足の蹴りを補佐し、電動自転車が坂を上る時にその力を補佐するようにその動きを助け、疲労度を大きく軽減するスポーツ用ソックスを提供する。【解決手段】足の湾曲（アーチ）構造骨格に沿い、且つ、足指の関節、特に親指の第３関節を押さえない場所にサポート部材２を配置したことを特徴とする。【選択図】図１
0003157243.tif 000002
【実用新案登録請求の範囲】
【請求項１】
足指の関節位置に当接しないソックス上の位置に、足への締め付け力を保持するサポート部材を配設したことを特徴とするスポーツ用ソックス。
【請求項２】
サポート部材がソックスの足底部と甲部を縦断する方向にリング帯状に掛け渡され、且つ、足の湾曲(アーチ)構造骨格に沿った位置に配置されることを特徴とする請求項１記載のスポーツ用ソックス。
【請求項３】
足指の関節位置に当接するソックス上の位置に、関節位置を示すマークを表示したことを特徴とする請求項１又は２に記載のスポーツ用ソックス。
【考案の詳細な説明】
【技術分野】
【０００１】
本考案は、スポーツ用ソックスに係り、足にかかる地面からの衝撃を吸収し、歩き、走り、跳ぶ時の足の蹴りを補佐することが出来るように考えられたスポーツ用ソックスである。
【背景技術】
【０００２】
従来より、スポーツ用ソックスは各種のものが開発されているが、ソックスの生地を厚くし、ソックスの適所にサポート部材（締め付け力が強く、筋肉や腱をしっかりと保持するもの）を取り付けるなどものが一般的である。
しかし、サポート部材を使用しているほとんどのスポーツソックスは、医学的な足の湾曲構造骨格を全く考えず、単にサポート部材をソックスに組み入れているだけである為、足の湾曲構造骨格をそのサポート部材により反対に潰してしまうという大きなマイナス効果を発生させてしまっている。
【先行技術文献】
【特許文献】
【０００３】
【特許文献１】特開２００９−１５５７６３号公報
【特許文献２】特開平６−２４８５０１号公報
【考案の概要】
【考案が解決しようとする課題】
【０００４】
人間の足は、その体重を２本の足で支え、且つ、歩く、走る、跳ぶ等から受ける地面からの衝撃を和やらげ、そして反対に、地面を蹴り、跳びはねる為に足の湾曲構造骨格は、縦と横(５本の指)の２つのアーチ構造により、お椀を伏したような湾曲形をしている。
衝撃を受けた時には、そのお椀は広がり潰れ、蹴り、跳びはねる時には、潰れた状態からお椀型に戻るという動きをしている。
【０００５】
従来のスポーツ用ソックスは、そのサポート部材により足指の関節を押さえてしまい、結果として足の湾曲(アーチ)構造骨格を潰してしまい、その衝撃吸収能力、跳躍力を減退させてしまっている。
本考案の目的は、サポート部材をソックスに組み入れる際、足の指の関節、特に親指の第３関節を押さえないことで、衝撃吸収能力、跳躍能力を減退させないようにし、さらには、サポート部材の位置を足の湾曲構造骨格に沿った曲線とすることでその湾曲構造を強化し、その衝撃吸収能力及び跳躍力を高め、且つ、その疲労度を大きく軽減せしめることである。
【課題を解決するための手段】
【０００６】
前記課題を解決するために、請求項１に記載の考案は、足指の関節位置に当接しないソックス上の位置に、足への締め付け力を保持するサポート部材を配設したことを特徴とするスポーツ用ソックスである。
【０００７】
請求項２に記載の考案は、サポート部材がソックスの足底部と甲部を縦断する方向にリング帯状に掛け渡されていることを特徴とする請求項１記載のスポーツ用ソックスである。
【０００８】
請求項３に記載の考案は、足指の関節位置に当接するソックス上の位置に、関節位置を示すマークを表示したことを特徴とする請求項１又は２に記載のスポーツ用ソックスである。
【考案の効果】
【０００９】
人が歩く、走る、跳ぶ等の運動をする時、湾曲(アーチ)構造の足指骨格は、その湾曲構造を潰したり、元に戻したりすることによって、地面からの衝撃を吸収し、且つ、地面を蹴って、歩き、走り、跳ぶことができる。
上記の請求項１乃至３の考案によれば、このソックスに備えられたサポート部材の存在により、足の湾曲構造骨格を強く補佐し、地面からの衝撃を受け、その湾曲構造が潰される時には足の筋肉だけではなく、このサポート部材自体の張力によりその湾曲構造を補佐し、反対に地面を蹴って潰れた湾曲構造を元に戻そうとする時には、同様にサポート部材の張力により、その戻ろうとする動きをはっきりと補佐するものである。
【００１０】
すなわち、足の指関節、特に親指の第３関節を押さえず、その湾曲構造に沿ってサポート部材を配置することで、電動自転車で坂を上る時にモーターが補佐して楽に上れるように、本考案のスポーツ用ソックスもその運動を大きく補佐し、疲労を大きく軽減するものである。
【図面の簡単な説明】
【００１１】
【図１】本考案に係るスポーツ用ソックス（右足用）の図面であって、（ａ）は正面図，（ｂ）は背面図である。
【図２】本考案に係るスポーツ用ソックス（左足用）の図面であって、（ａ）は正面図，（ｂ）は背面図である。
【考案を実施するための形態】
【００１２】
以下添付図面に基づいて、本考案スポーツ用ソックスの一実施の形態を詳説するが、本考案はこれらの実施の形態に制限されるものではない。
図１に示すソックス１は右足用のものであり、そこにはサポート部材２が配設されている。
ソックス１の基本素材としては、綿糸３２／１×３本＋２０／１４０ＦＴＹ＋♯１００ゴム糸で編んだ素材などが使用される。ここでＦＴＹとは、２０ｄポリエステルと１４０ｄポリウレタンとを組み合わせたものである。
図２に示すソックス１は左足用のものであるが、同一部材は同一符号を付して説明し、特に断りのない限り図１の説明がそのままあてはまる。
【００１３】
また、ソックスのつま先部４（及びつま先より３ｃｍ幅までの部分）で使用されるつま先素材としては、綿糸３２／１×２本＋２０／１４０ＦＴＹで編んだ素材などが使用される。
さらにソックスのかかと部５は、綿糸３２／１×３本＋２０／１４０ＦＴＹで編んだパイル素材などが使用される。
【００１４】
本考案のサポート部材２は、綿糸３２／１×３本＋２０／１４０ＦＴＹ＋♯１００ゴム糸＋１００／２ウーリーナイロン３本で編んだ素材などが使用されるため、強力なサポート効果が得られる。
また口ゴム部６には、綿糸３２／１×３本＋２０／１４０ＦＴＹ＋リッチハウス×３本などが使用される。
【００１５】
本考案のサポート部材２は、足指の関節位置に当接しないソックス１上の位置に配設されているため、関節を自由に折り曲げたり、折伸ばしたり、左右へ押し広げたり、曲げ戻したりという運動が自由に行え、足の湾曲構造骨格の湾曲運動が窮屈な感じを抱かせずに自由に行えるようになる。
【００１６】
このサポート部材２は、ソックス１の足底部と甲部を縦断する方向にリング帯状に掛け渡されているため、足全体を程よく締め付けることができる。
さらにこのサポート部材２は、ソックス１の足首部の直下方を横断する方向にリング帯状に追加的に掛け渡すこともでき、この場合には足首部を程よく締め付けることも可能となる。
【００１７】
このサポート部材２を形成していないソックス１の適所には、足指の関節位置を示すマーク３が表示されているため、足指の関節位置を常に意識してそのマーク３位置に関節を合わせるようにソックスを履けば、本考案ソックスの機能を正しく発揮できるような履き方が可能となる。
なお上記の説明は、図２の左足用のソックスにもそのまま当てはまるものである。
【産業上の利用可能性】
【００１８】
本考案のスポーツ用ソックスは、スポーツ全般に利用することが可能であるので、その利用範囲は大変広いものとなる。
【符号の説明】
【００１９】
１ …ソックス
２ …サポート部材
３ …マーク
４ …つま先部
５ …かかと部
６ …口ゴム部
【図１】
0003157243.tif 000003
【図２】
0003157243.tif 000004